(57)【要約】【課題】  全ての作業がスラブの上側でできる張出スラブの構築方法および張出スラブ用プレキャストコンクリート板を提供することである。【解決手段】  高架橋の張出スラブ用プレキャストコンクリート板１は、トラス筋４が突出したコンクリート板２に接合用突出部３が形成され、該接合用突出部３またはコンクリート板２に埋め込まれた取付用レール９にジョイント具５が取り付けられてなる。【選択図】  図１
2005264607.tif 000002
【特許請求の範囲】
【請求項１】
トラス筋が突出したコンクリート板に接合用突出部が形成され、該接合用突出部またはコンクリート板に埋め込まれた取付用レールにジョイント材が取り付けられてなることを特徴とする高架橋の張出スラブ用プレキャストコンクリート板。
【請求項２】
トラス筋が突出したコンクリート板に接合用突出部が形成され、該接合用突出部またはコンクリート板に埋め込まれた取付用レールにジョイント材が取り付けられた高架橋の張出スラブ用プレキャストコンクリート板を形成し、該高架橋の張出スラブ用プレキャストコンクリート板の接合用突出部の先端部を桁の外側に載せるとともに、接合用突出部またはコンクリート板のジョイント具を桁の一部に固定した後、該桁に設置したスラブ用プレキャストコンクリート板と、張出スラブ用プレキャストコンクリート板のトラス筋との間にサポート材を設置してトップコンクリートを打設することを特徴とする高架橋の張出スラブの構築方法。
【発明の詳細な説明】
【技術分野】
【０００１】
本発明は高架橋の張出スラブの構築方法および張出スラブ用プレキャストコンクリート板に関するものである。
【背景技術】
【０００２】
従来の高架橋の張出スラブは、図９に示すように、Ｌ型の張出スラブ用プレキャストコンクリート板３０を下側に設置したブラケット３１または支保工で仮受けした後、トップコンクリート３２を打設して構築していた。また、その他の高架橋の張出スラブの構築方法としては、例えば特開２００３−２９３４７０号公報の発明がある。
【特許文献１】特開２００３−２９３４７０号公報
【発明の開示】
【発明が解決しようとする課題】
【０００３】
しかし、上記の高架橋の張出スラブの構築方法は、ブラケットなどの仮受材の設置および撤去に手間がかかった。また仮受材は桁の外側に取り付けられ、これを取り付ける作業がスラブ下側での作業となるため、桁の下側に道路や線路などがある場合は、非常に危険な作業となっていた。
【０００４】
本発明は上記のような問題に鑑みてなされたものであり、その目的は、全ての作業がスラブの上側でできる張出スラブの構築方法および張出スラブ用プレキャストコンクリート板を提供することである。
【課題を解決するための手段】
【０００５】
上記の課題を解決するための手段である高架橋の張出スラブ用プレキャストコンクリート板は、トラス筋が突出したコンクリート板に接合用突出部が形成され、該接合用突出部またはコンクリート板に埋め込まれた取付用レールにジョイント材が取り付けられてなることを特徴とする。
また高架橋の張出スラブの構築方法は、トラス筋が突出したコンクリート板に接合用突出部が形成され、該接合用突出部またはコンクリート板に埋め込まれた取付用レールにジョイント材が取り付けられた高架橋の張出スラブ用プレキャストコンクリート板を形成し、該高架橋の張出スラブ用プレキャストコンクリート板の接合用突出部の先端部を桁の外側に載せるとともに、接合用突出部またはコンクリート板のジョイント材を桁の一部に固定した後、該桁に設置したスラブ用プレキャストコンクリート板と、張出スラブ用プレキャストコンクリート板のトラス筋との間にサポート材を設置してトップコンクリートを打設することを特徴とする。
【発明の効果】
【０００６】
ジョイント材により張出スラブ用プレキャストコンクリート板を桁に簡単に接合することができる。また高架橋の張出スラブの構築作業が、全てスラブの内側でできるため、安全な施工ができる。また張出スラブ用プレキャストコンクリート板をスラブの内側にジョイント材とサポートとで固定することができる。
【発明を実施するための最良の形態】
【０００７】
以下、本発明の高架橋の張出スラブの構築方法（以下、張出スラブの構築方法という）および張出スラブ用プレキャストコンクリート板（以下、張出スラブ用ＰＣ板という）の実施の形態について説明する。はじめに張出スラブ用ＰＣ板について説明し、次に、この張出スラブ用ＰＣ板を使用した張出スラブの構築方法について説明するが、各実施の形態において、同じ構成は同じ符号を付して説明し、異なった構成にのみ異なった符号を付して説明する。
【０００８】
図１〜図３は張出スラブ用ＰＣ板１を示し、この張出スラブ用ＰＣ板１は、高欄用のコンクリート板２と、その下端部に突設した型枠用の接合用突出部３とからＬ型に形成され、コンクリート板２にはトラス筋４が突設され、接合用突出部３にはジョイント具５が取り付けられている。
【０００９】
このトラス筋４は、一本の上端筋６と、二本の下端筋７とが波形のラチス筋８で接合された三角トラスであり、下端筋７がコンクリート板２に埋設され、該コンクリート板２の上面から上端筋６が突出している。なお、トラス筋４は三角トラスに限らず、一本の上端筋と一本の下端筋とがラチス筋に接合された、いわゆるシングルトラスであってもよい（図示せず）。
【００１０】
またジョイント具５の後端部が、コンクリート板２の凹溝レール９に掛止ボルト１０で取り付けられ、Ｌ型に折り曲げられた先端部にはＵ字形の掛止部１１が形成され、該掛止部１１には固定ボルト１２が設けられている。また掛止ボルト１０の下端部の掛止片１３が取付用レールである凹溝レール９に掛け止めされて、ジョイント具５が凹溝レール９を左右にスライドできるようになっている。
【００１１】
また図３の（１）および（２）は他のジョイント具５である。（１）は先端部にボルト孔１４が設けられた以外は、上記と同じ構成である。また（２）はＬ型で、かつ先端部にボルト孔１４が設けられた以外は、上記と同じ構成である。これらは使用用途によって種々の形状のものが使用される。
【００１２】
次に、上記の張出スラブ用ＰＣ板１を使用した張出スラブの構築方法について説明する。図４および図５は第１の実施の形態の張出スラブの構築方法である。この構築方法は、まず張出スラブ用ＰＣ板１をクレーンで吊り上げて、接合用突出部３の先端部をコンクリート桁１５の設置用顎１６に載せるとともに、ジョイント具５の掛止部１１を桁上面に突出したスターラップ１７に掛け止めして固定ボルト１２で固定する。
【００１３】
次に、張出スラブ用ＰＣ板１のトラス筋４と、コンクリート桁１５間に設置したスラブ用ＰＣ板１９のジョイント筋２０とにわたってサポート材２１を設置し、このサポート材２１と、ジョイント具５と、設置用顎１６とによって張出スラブ用ＰＣ板１を固定する。
【００１４】
次に、張出スラブ用ＰＣ板１とスラブ用ＰＣ板１９との上にトップコンクリート２２を打設し、これが硬化した後に、サポート材２１を取り外すとともに、トップコンクリート２２の上面から突出したジョイント筋２０の上部を切断すると、高欄２３を備えた張出用スラブ２４が完成する。このように全ての施工作業をスラブの上側で行えるため、安全な作業にすることができる。
【００１５】
図６は第２の実施の形態の張出スラブの構築方法である。この構築方法は、張出スラブ用ＰＣ板１を鉄骨桁２５に設置するものであり、クレーンで吊り上げた張出スラブ用ＰＣ板１の接合用突出部３の先端部を設置用顎１６に載せるとともに、図３の（１）のジョイント具５を鉄骨桁２５の上面にボルト２６で接合する。
【００１６】
次に、張出スラブ用ＰＣ板１のトラス筋４と、鉄骨桁上面のフック２７とにターンバックルなどの引張材２８を設置する。そして、上記と同じようにトップコンクリート２２を打設し、これが硬化した後に、引張材２８を取り外すと、高欄２３を備えた張出用スラブ２４が完成する。
【００１７】
図７は第３の実施の形態の張出スラブの構築方法である。この構築方法は、張出スラブ用ＰＣ板１をＴ形断面のコンクリート桁１８に設置するものであり、クレーンで吊り上げた張出スラブ用ＰＣ板１の接合用突出部３の先端部をコンクリート桁１８の側面に当接させるとともに、図３の（２）のジョイント具５をコンクリート桁１８の上面にボルト２６で接合する。
【００１８】
次に、張出スラブ用ＰＣ板のトラス筋４と、コンクリート桁１８の上面に突設したジョイント筋２０とにわたってサポート材２１を設置し、このサポート材２１とジョイント具５とにより張出スラブ用ＰＣ板１を上側から吊った状態にする。次に、上記と同じようにトップコンクリート２２を打設し、これが硬化した後に、サポート材２１を取り外すとともに、トップコンクリート２２の上面から突出したジョイント筋２０の上部を切断すると、高欄２３を備えた張出用スラブ２４が完成する。
【００１９】
図８は第４の実施の形態の張出スラブの構築方法である。この構築方法は、短い接合用突出部３を備えた張出スラブ用ＰＣ板１を使用したものであり、クレーンで吊り上げた張出スラブ用ＰＣ板１の接合用突出部３の先端部をコンクリート桁１５の設置用顎１６に設置するとともに、下部を下部固定金物２９で固定するとともに、コンクリート板２におけるジョイント具５の掛止部１１をコンクリート桁１５上面のスターラップ１７に掛け止めしてボルト２６で固定する。
【００２０】
次に、張出スラブ用ＰＣ板１のトラス筋４と、スラブ用ＰＣ板１９のジョイント筋２０とにわたってサポート材２１を設置し、このサポート材２１と、ジョイント具５と、下部固定金物２９と、設置用顎１６とによって張出スラブ用ＰＣ板１を固定する。
【００２１】
次に、張出スラブ用ＰＣ板１とスラブ用ＰＣ板１９との上にトップコンクリート２２を打設し、これが硬化した後に、サポート材２１を取り外すとともに、トップコンクリート２２の上面から突出したジョイント筋２０の上部を切断すると、高欄２３を備えた張出用スラブ２４が完成する。
【図面の簡単な説明】
【００２２】
【図１】張出スラブ用ＰＣ板であり、（１）は正面図、（２）は平面図、（３）は（２）のＡ−Ａ線断面図である。
【図２】ジョイント材であり、（１）は斜視図、（２）は水平方向の断面図、（３）は縦方向の断面図である。
【図３】他のジョイント材の斜視図である。
【図４】第１の実施の形態の張出スラブの構築方法であり、（１）は断面図、（２）はジョイント材の斜視図である。
【図５】張出スラブ用ＰＣ板をコンクリート桁に設置した斜視図である。
【図６】第２の実施の形態の張出スラブの構築方法の断面図である。
【図７】第３の実施の形態の張出スラブの構築方法の断面図である。
【図８】第４の実施の形態の張出スラブの構築方法の断面図である。
【図９】従来の張出スラブの構築方法の断面図である。
【符号の説明】
【００２３】
１、３０  張出スラブ用ＰＣ板
２  コンクリート板
３  接合用突出部
４  トラス筋
５  ジョイント具
６  上端筋
７  下端筋
８  ラチス筋
９  凹溝レール
１０  掛止ボルト
１１  掛止部
１２  固定ボルト
１３  掛止片
１４  ボルト孔
１５、１８  コンクリート桁
１６  設置用顎
１７  スターラップ
１９  スラブ用ＰＣ板
２０  ジョイント筋
２１  サポート材
２２、３２  トップコンクリート
２３  高欄
２４  張出用スラブ
２５  鉄骨桁
２６  ボルト
２７  フック
２８  引張材
２９  下部固定金物
３１  ブラケット
【図１】
2005264607.tif 000003
【図２】
2005264607.tif 000004
【図３】
2005264607.tif 000005
【図４】
2005264607.tif 000006
【図５】
2005264607.tif 000007
【図６】
2005264607.tif 000008
【図７】
2005264607.tif 000009
【図８】
2005264607.tif 000010
【図９】
2005264607.tif 000011